(57)【要約】【課題】映像表示装置において動きのある映像で偽輪郭が発生するという課題を解決し、偽輪郭の発生を抑制するという優れた特性を持つ映像表示装置を提供することを目的とする。【解決手段】入力された映像信号を動き検出部５、エッジ検出部６に入力し、映像の動き量とエッジ成分を検出し、エッジ成分をエッジ深さ検出部７に入力しエッジの深さを検出する。それぞれで検出した映像の動き量と、エッジの深さをブランキング期間制御部４に入力し、動き量が大きく、エッジの深さが深い時ほどブランキング期間を長くするようサブフィールド駆動データ生成部２を制御する。【選択図】　図１
2004093857.tif 000002
【特許請求の範囲】
【請求項１】
映像信号入力を行う入力処理部と、
ブランキング期間制御データを生成するブランキング期間制御部と、
各フィールド毎に前記入力処理部の出力とブランキング期間制御部の出力とからサブフィールド駆動データに変換を行うサブフィールド駆動データ生成部と、
前記サブフィールド駆動データ生成部の出力を映像として表示する表示部とを有する映像表示装置。
【請求項２】
映像信号入力を行う入力処理部と、
前記入力処理部の出力から映像の動きを検出する動き検出部と、
前記動き検出部の出力からブランキング期間制御データを生成するブランキング期間制御部と、
各フィールド毎に前記入力処理部の出力と前記ブランキング期間制御部の出力とからサブフィールド駆動データに変換を行うサブフィールド駆動データ生成部と、
前記サブフィールド駆動データ生成部の出力を映像として表示する表示部とを有する映像表示装置。
【請求項３】
動き検出部は、映像の水平方向の動きを検出する水平動き検出部を有する、請求項２記載の映像表示装置。
【請求項４】
動き検出部は、映像の垂直方向の動きを検出する垂直動き検出部を有する、請求項２記載の映像表示装置。
【請求項５】
動き検出部は、映像の斜め方向の動きを検出する斜め動き検出部を有する、請求項２記載の映像表示装置。
【請求項６】
映像信号入力を行う入力処理部と、
前記入力処理部の出力から映像の動きを検出する動き検出部と、
前記入力処理部の出力から映像のエッジ成分を検出するエッジ検出部と、
前記エッジ検出部の出力からエッジの深さを検出するエッジ深さ検出部と、
前記動き検出部の出力と前記エッジ深さ検出部の出力とからブランキング期間制御データを生成するブランキング期間制御部と、
各フィールド毎に前記入力処理部の出力と前記ブランキング期間制御部の出力とからサブフィールド駆動データに変換を行うサブフィールド駆動データ生成部と、
前記サブフィールド駆動データ生成部の出力を映像として表示する表示部とを有する映像表示装置。
【請求項７】
エッジ検出部は、映像の垂直方向のエッジを検出する垂直エッジ検出部を有する、請求項６記載の映像表示装置。
【請求項８】
エッジ検出部は、映像の水平方向のエッジを検出する水平エッジ検出部を有する、請求項６記載の映像表示装置。
【請求項９】
エッジ検出部は、映像の斜め方向のエッジを検出する斜めエッジ検出部を有する、請求項６記載の映像表示装置。
【請求項１０】
映像信号入力を行う入力処理部と、
前記入力処理部の出力から映像の動きを検出する動き検出部と、
前記入力処理部の出力から映像のエッジ成分を検出するエッジ検出部と、
前記エッジ検出部の出力からエッジの面積を検出するエッジ面積検出部と、
前記動き検出部の出力と前記エッジ面積検出部の出力とからブランキング期間制御データを生成するブランキング期間制御部と、
各フィールド毎に前記入力処理部の出力と前記ブランキング期間制御部の出力からサブフィールド駆動データに変換を行うサブフィールド駆動データ生成部と、前記サブフィールド駆動データ生成部の出力を映像として表示する表示部とを有する映像表示装置。
【請求項１１】
映像信号入力を行う入力処理部と、
前記入力処理部の出力から映像の動きを検出する動き検出部と、
前記入力処理部の出力から映像のエッジ成分を検出するエッジ検出部と、
前記エッジ検出部の出力からエッジの深さを検出するエッジ深さ検出部と、
前記エッジ検出部の出力からエッジの面積を検出するエッジ面積検出部と、
前記動き検出部の出力と前記エッジ深さ検出部の出力と前記エッジ面積検出部の出力とからブランキング期間制御データを生成するブランキング期間制御部と、各フィールド毎に前記入力処理部の出力と前記ブランキング期間制御部の出力とからサブフィールド駆動データに変換を行うサブフィールド駆動データ生成部と、
前記サブフィールド駆動データ生成部の出力を映像として表示する表示部とを有する映像表示装置。
【請求項１２】
映像信号入力を行う入力処理部と、
前記入力処理部の出力から映像の動きを検出する動き検出部と、
前記入力処理部の出力から映像のエッジ成分を検出するエッジ検出部と、
前記エッジ検出部の出力からエッジの深さを検出するエッジ深さ検出部と、
前記エッジ検出部の出力からエッジの面積を検出するエッジ面積検出部と、
前記入力処理部の出力から映像のＡＰＬを検出するＡＰＬ検出部と、
前記動き検出部の出力と前記エッジ深さ検出部の出力と前記エッジ面積検出部の出力とＡＰＬ検出部の出力とからブランキング期間制御データを生成するブランキング期間制御部と、
各フィールド毎に前記入力処理部の出力と前記ブランキング期間制御部の出力とからサブフィールド駆動データに変換を行うサブフィールド駆動データ生成部と、
前記サブフィールド駆動データ生成部の出力を映像として表示する表示部とを有する映像表示装置。
【請求項１３】
映像信号入力を行う入力処理部と、
前記入力処理部の出力から映像の動きを検出する動き検出部と、
前記入力処理部の出力から映像のエッジ成分を検出するエッジ検出部と、
前記エッジ検出部の出力からエッジの深さを検出するエッジ深さ検出部と、
前記エッジ検出部の出力からエッジの面積を検出するエッジ面積検出部と、
前記入力処理部の出力と前記エッジ検出部の出力とから映像のエッジ部分の輝度を検出するエッジ輝度検出部と、
前記動き検出部の出力と前記エッジ深さ検出部の出力と前記エッジ面積検出部の出力とエッジ輝度検出部の出力とからブランキング期間制御データを生成するブランキング期間制御部と、
各フィールド毎に前記入力処理部の出力と前記ブランキング期間制御部の出力とからサブフィールド駆動データに変換を行うサブフィールド駆動データ生成部と、
前記サブフィールド駆動データ生成部の出力を映像として表示する表示部とを有する映像表示装置。
【請求項１４】
映像信号入力を行う入力処理部と、
前記入力処理部の出力から映像の動きを検出する動き検出部と、
前記入力処理部の出力から映像のエッジ成分を検出するエッジ検出部と、
前記エッジ検出部の出力からエッジの深さを検出するエッジ深さ検出部と、
前記エッジ検出部の出力からエッジの面積を検出するエッジ面積検出部と、
前記入力処理部の出力と前記エッジ検出部の出力とから映像のエッジ部分の輝度を検出するエッジ輝度検出部と、
前記動き検出部の出力と前記エッジ深さ検出部の出力と前記エッジ面積検出部の出力とエッジ輝度検出部の出力とからブランキング期間制御データを生成するブランキング期間制御部と、
前記ブランキング期間制御部の出力と前記入力処理部の出力とから映像信号振幅を制御する映像信号振幅制御部と、
各フィールド毎に前記映像信号振幅制御部の出力と前記ブランキング期間制御部の出力とからサブフィールド駆動データに変換を行うサブフィールド駆動データ生成部と、
前記サブフィールド駆動データ生成部の出力を映像として表示する表示部とを有する映像表示装置。
【請求項１５】
映像信号入力を行う入力処理部と、
前記入力処理部の出力から映像の動きを検出する動き検出部と、
前記入力処理部の出力から映像のエッジ成分を検出するエッジ検出部と、
前記エッジ検出部の出力からエッジの深さを検出するエッジ深さ検出部と、
前記エッジ検出部の出力からエッジの面積を検出するエッジ面積検出部と、
前記入力処理部の出力と前記エッジ検出部の出力とから映像のエッジ部分の輝度を検出するエッジ輝度検出部と、
前記動き検出部の出力と前記エッジ深さ検出部の出力と前記エッジ面積検出部の出力とエッジ輝度検出部の出力とからブランキング期間制御データを生成するブランキング期間制御部と、
映像表示光出力の光源である光源部と、
前記ブランキング期間制御部の出力から光源の光出力量を制御する光出力制御部と、
各フィールド毎に前記入力処理部の出力と前記ブランキング期間制御部の出力とからサブフィールド駆動データに変換を行うサブフィールド駆動データ生成部と、
前記サブフィールド駆動データ生成部の出力を映像として表示する表示部とを有する映像表示装置。
【発明の詳細な説明】
【０００１】
【発明の属する技術分野】
本発明は、プロジェクタやプラズマテレビなどの映像表示装置に関わる映像表示装置に関するものである。
【０００２】
【従来の技術】
近年、映像表示装置はプラズマテレビなどサブフィールド駆動方式を用いた映像表示装置が開発されている。
【０００３】
以下に従来の映像表示装置について説明する。
【０００４】
従来の映像表示装置を図５に示す。図５は従来の映像表示装置のブロック図を示すものである。図５において、１は映像信号入力を行う入力処理部である。２は前記入力処理部の出力の映像信号を各フィールド毎にサブフィールド駆動データに変換するサブフィールド駆動データ生成部である。３は映像を表示する表示部である。
【０００５】
以上のように構成された従来の映像表示装置について、以下その動作について説明する。
【０００６】
まず、映像信号は入力処理部１に入力される。その後サブフィールド駆動データ生成部２に入力され、図６に示すように各フィールド毎にブランキング期間の無い連続したサブフィールド駆動データに変換され、表示部３に入力され映像として表示される。
【０００７】
【発明が解決しようとする課題】
しかしながら上記の従来の構成では、ブランキング期間の無い連続したサブフィールド駆動データに変換されるので、動きのある映像では視覚が動きを追う作用とサブフィールド駆動の作用から、視覚的に偽輪郭が発生するという課題を有していた。
【０００８】
本発明は上記従来の課題を解決するもので、偽輪郭の発生を抑制する映像表示装置を提供することを目的とする。
【０００９】
【課題を解決するための手段】
この目的を達成するために本発明の映像表示装置は、映像信号入力を行う入力処理部と、ブランキング期間制御データを生成するブランキング期間制御部と、各フィールド毎に入力処理部の出力とブランキング期間制御部の出力とからサブフィールド駆動データに変換を行うサブフィールド駆動データ生成部と、サブフィールド駆動データ生成部の出力を映像として表示する表示部とを備える構成を有している。
【００１０】
この構成によって、各フィールド間にブランキング期間を挿入し、このブランキング期間が存在することによって視覚にリセット作用を促すとともに、サブフィールドの構成を時間方向に圧縮することで、偽輪郭の発生を抑制する映像表示装置が得られる。
【００１１】
【発明の実施の形態】
本発明の請求項１に記載の発明は、映像信号入力を行う入力処理部と、ブランキング期間制御データを生成するブランキング期間制御部と、各フィールド毎に入力処理部の出力とブランキング期間制御部の出力からサブフィールド駆動データに変換を行うサブフィールド駆動データ生成部と、サブフィールド駆動データ生成部の出力を映像として表示する表示部とを備える構成を有したものであり、各フィールド間に挿入されるブランキング期間により、視覚にリセット作用を促すとともに、サブフィールドの構成を時間方向に圧縮することで偽輪郭の発生を抑制するという作用を有する。
【００１２】
本発明の請求項２に記載の発明は、映像信号入力を行う入力処理部と、入力処理部の出力から映像の動きを検出する動き検出部と、動き検出部の出力からブランキング期間制御データを生成するブランキング期間制御部と、各フィールド毎に入力処理部の出力とブランキング期間制御部の出力とからサブフィールド駆動データに変換を行うサブフィールド駆動データ生成部と、サブフィールド駆動データ生成部の出力を映像として表示する表示部とを備える構成を有したものであり、映像に動きのある時には各フィールド間のブランキング期間の長さを長くして、視覚にリセット作用を促すとともに、サブフィールドの構成を時間方向に圧縮することで偽輪郭の発生を抑制するという作用を有する。
【００１３】
本発明の請求項３に記載の発明は、動き検出部は、映像の水平方向の動きを検出する水平動き検出部を有する構成としたものであり、映像に水平方向の動きのある時には各フィールド間のブランキング期間の長さを長くして、視覚にリセット作用を促すとともに、サブフィールドの構成を時間方向に圧縮することで偽輪郭の発生を抑制するという作用を有する。
【００１４】
本発明の請求項４に記載の発明は、動き検出部は、映像の垂直方向の動きを検出する垂直動き検出部を有する構成としたものであり、映像に垂直方向の動きのある時には各フィールド間のブランキング期間の長さを長くして、視覚にリセット作用を促すとともに、サブフィールドの構成を時間方向に圧縮することで偽輪郭の発生を抑制するという作用を有する。
【００１５】
本発明の請求項５に記載の発明は、動き検出部は、映像の斜め方向の動きを検出する斜め動き検出部を有する構成としたものであり、映像に垂直方向の動きのある時には各フィールド間のブランキング期間の長さを長くして、視覚にリセット作用を促すとともに、サブフィールドの構成を時間方向に圧縮することで偽輪郭の発生を抑制するという作用を有する。
【００１６】
本発明の請求項６に記載の発明は、映像信号入力を行う入力処理部と、入力処理部の出力から映像の動きを検出する動き検出部と、入力処理部の出力から映像のエッジ成分を検出するエッジ検出部と、エッジ検出部の出力からエッジの深さを検出するエッジ深さ検出部と、動き検出部の出力とエッジ深さ検出部の出力とからブランキング期間制御データを生成するブランキング期間制御部と、各フィールド毎に入力処理部の出力とブランキング期間制御部の出力とからサブフィールド駆動データに変換を行うサブフィールド駆動データ生成部と、サブフィールド駆動データ生成部の出力を映像として表示する表示部とを備えた構成としたものであり、映像に動きがありさらにエッジの深さが深い時には各フィールド間のブランキング期間の長さを長くして、視覚にリセット作用を促すとともに、サブフィールドの構成を時間方向に圧縮することで偽輪郭の発生を抑制するという作用を有する。
【００１７】
本発明の請求項７に記載の発明は、エッジ検出部は、映像の垂直方向のエッジを検出する垂直エッジ検出部を有する構成としたものであり、映像に動きがありさらに垂直方向のエッジの深さが深い時には各フィールド間のブランキング期間の長さを長くして、視覚にリセット作用を促すとともに、サブフィールドの構成を時間方向に圧縮することで偽輪郭の発生を抑制するという作用を有する。
【００１８】
本発明の請求項８に記載の発明は、エッジ検出部は、映像の水平方向のエッジを検出する水平エッジ検出部を有する構成としたものであり、映像に動きがありさらに水平方向のエッジの深さが深い時には各フィールド間のブランキング期間の長さを長くして、視覚にリセット作用を促すとともに、サブフィールドの構成を時間方向に圧縮することで偽輪郭の発生を抑制するという作用を有する。
【００１９】
本発明の請求項９に記載の発明は、エッジ検出部は、映像の斜め方向のエッジを検出する斜めエッジ検出部を有する構成としたものであり、映像に動きがありさらに斜め方向のエッジの深さが深い時には各フィールド間のブランキング期間の長さを長くして、視覚にリセット作用を促すとともに、サブフィールドの構成を時間方向に圧縮することで偽輪郭の発生を抑制するという作用を有する。
【００２０】
本発明の請求項１０に記載の発明は、映像信号入力を行う入力処理部と、入力処理部の出力から映像の動きを検出する動き検出部と、入力処理部の出力から映像のエッジ成分を検出するエッジ検出部と、エッジ検出部の出力からエッジの面積を検出するエッジ面積検出部と、動き検出部の出力とエッジ面積検出部の出力とからブランキング期間制御データを生成するブランキング期間制御部と、各フィールド毎に入力処理部の出力とブランキング期間制御部の出力とからサブフィールド駆動データに変換を行うサブフィールド駆動データ生成部と、サブフィールド駆動データ生成部の出力を映像として表示する表示部とを有する構成としたものであり、映像に動きがありさらにエッジの面積が広い時には各フィールド間のブランキング期間の長さを長くして、視覚にリセット作用を促すとともに、サブフィールドの構成を時間方向に圧縮することで偽輪郭の発生を抑制するという作用を有する。
【００２１】
本発明の請求項１１に記載の発明は、映像信号入力を行う入力処理部と、入力処理部の出力から映像の動きを検出する動き検出部と、入力処理部の出力から映像のエッジ成分を検出するエッジ検出部と、エッジ検出部の出力からエッジの深さを検出するエッジ深さ検出部と、エッジ検出部の出力からエッジの面積を検出するエッジ面積検出部と、動き検出部の出力とエッジ深さ検出部の出力とエッジ面積検出部の出力とからブランキング期間制御データを生成するブランキング期間制御部と、各フィールド毎に入力処理部の出力とブランキング期間制御部の出力とからサブフィールド駆動データに変換を行うサブフィールド駆動データ生成部と、サブフィールド駆動データ生成部の出力を映像として表示する表示部とを有する構成としたものであり、映像に動きがありさらにエッジの面積が広くさらにエッジの深さが深い時には各フィールド間のブランキング期間の長さを長くして、視覚にリセット作用を促すとともに、サブフィールドの構成を時間方向に圧縮することで偽輪郭の発生を抑制するという作用を有する。
【００２２】
本発明の請求項１２に記載の発明は、映像信号入力を行う入力処理部と、入力処理部の出力から映像の動きを検出する動き検出部と、入力処理部の出力から映像のエッジ成分を検出するエッジ検出部と、エッジ検出部の出力からエッジの深さを検出するエッジ深さ検出部と、エッジ検出部の出力からエッジの面積を検出するエッジ面積検出部と、入力処理部の出力から映像のＡＰＬを検出するＡＰＬ検出部と、動き検出部の出力とエッジ深さ検出部の出力とエッジ面積検出部の出力とＡＰＬ検出部の出力とからブランキング期間制御データを生成するブランキング期間制御部と、各フィールド毎に入力処理部の出力とブランキング期間制御部の出力からサブフィールド駆動データに変換を行うサブフィールド駆動データ生成部と、サブフィールド駆動データ生成部の出力を映像として表示する表示部とを有する構成としたものであり、映像に動きがありさらにエッジの面積が広くさらにエッジの深さが深くさらに映像のＡＰＬが高い時には各フィールド間のブランキング期間の長さを長くして、視覚にリセット作用を促すとともに、サブフィールドの構成を時間方向に圧縮することで偽輪郭の発生を抑制するという作用を有する。
【００２３】
本発明の請求項１３に記載の発明は、映像信号入力を行う入力処理部と、入力処理部の出力から映像の動きを検出する動き検出部と、入力処理部の出力から映像のエッジ成分を検出するエッジ検出部と、エッジ検出部の出力からエッジの深さを検出するエッジ深さ検出部と、エッジ検出部の出力からエッジの面積を検出するエッジ面積検出部と、入力処理部の出力とエッジ検出部の出力とから映像のエッジ部分の輝度を検出するエッジ輝度検出部と、動き検出部の出力とエッジ深さ検出部の出力とエッジ面積検出部の出力とエッジ輝度検出部の出力とからブランキング期間制御データを生成するブランキング期間制御部と、各フィールド毎に入力処理部の出力とブランキング期間制御部の出力とからサブフィールド駆動データに変換を行うサブフィールド駆動データ生成部と、サブフィールド駆動データ生成部の出力を映像として表示する表示部とを有する構成としたものであり、映像に動きがありさらにエッジの面積が広くさらにエッジの深さが深くさらにエッジ部分の映像の輝度が高い時には各フィールド間のブランキング期間の長さを長くして、視覚にリセット作用を促すとともに、サブフィールドの構成を時間方向に圧縮することで偽輪郭の発生を抑制するという作用を有する。
【００２４】
本発明の請求項１４に記載の発明は、映像信号入力を行う入力処理部と、入力処理部の出力から映像の動きを検出する動き検出部と、入力処理部の出力から映像のエッジ成分を検出するエッジ検出部と、エッジ検出部の出力からエッジの深さを検出するエッジ深さ検出部と、エッジ検出部の出力からエッジの面積を検出するエッジ面積検出部と、入力処理部の出力とエッジ検出部の出力とから映像のエッジ部分の輝度を検出するエッジ輝度検出部と、動き検出部の出力とエッジ深さ検出部の出力とエッジ面積検出部の出力とエッジ輝度検出部の出力とからブランキング期間制御データを生成するブランキング期間制御部と、ブランキング期間制御部の出力と入力処理部の出力とから映像信号振幅を制御する映像信号振幅制御部と、各フィールド毎に映像信号振幅制御部の出力とブランキング期間制御部の出力とからサブフィールド駆動データに変換を行うサブフィールド駆動データ生成部と、サブフィールド駆動データ生成部の出力を映像として表示する表示部とを有する構成としたものであり、映像に動きがありさらにエッジの面積が広くさらにエッジの深さが深くさらにエッジ部分の映像の輝度が高い時には各フィールド間のブランキング期間の長さを長くし、さらにブランキング期間を長くすることによって、映像表示装置の輝度低下が発生するが、これを補正するように映像信号振幅を拡大することで、視覚にリセット作用を促すとともに、サブフィールドの構成を時間方向に圧縮することで、輝度低下を発生させることなく偽輪郭の発生を抑制するという作用を有する。
【００２５】
本発明の請求項１５に記載の発明は、映像信号入力を行う入力処理部と、入力処理部の出力から映像の動きを検出する動き検出部と、入力処理部の出力から映像のエッジ成分を検出するエッジ検出部と、エッジ検出部の出力からエッジの深さを検出するエッジ深さ検出部と、エッジ検出部の出力からエッジの面積を検出するエッジ面積検出部と、入力処理部の出力とエッジ検出部の出力とから映像のエッジ部分の輝度を検出するエッジ輝度検出部と、動き検出部の出力とエッジ深さ検出部の出力とエッジ面積検出部の出力とエッジ輝度検出部の出力とからブランキング期間制御データを生成するブランキング期間制御部と、映像表示光出力の光源である光源部と、ブランキング期間制御部の出力から光源の光出力量を制御する光出力制御部と、各フィールド毎に入力処理部の出力とブランキング期間制御部の出力とからサブフィールド駆動データに変換を行うサブフィールド駆動データ生成部と、サブフィールド駆動データ生成部の出力を映像として表示する表示部とを有する構成としたものであり、映像に動きがありさらにエッジの面積が広くさらにエッジの深さが深くさらにエッジ部分の映像の輝度が高い時には各フィールド間のブランキング期間の長さを長くし、さらにブランキング期間を長くすることによって、映像表示装置の輝度低下が発生するが、これを補正するように光源の光出力を増大させることで、視覚にリセット作用を促すとともに、サブフィールドの構成を時間方向に圧縮することで、輝度低下を発生させることなく偽輪郭の発生を抑制するという作用を有する。
【００２６】
（実施の形態１）
図１は本発明の実施の形態１における映像表示装置のブロック図であり、図１において、１は映像信号入力処理を行う入力処理部、２は映像信号を各フィールド毎にサブフィールド駆動データに変換を行うサブフィールド駆動データ生成部である。３はサブフィールド駆動データ生成部の出力から映像として表示する表示部である。４はブランキング期間の長さを制御するブランキング期間制御部であり、５は映像の動きを検出する動き検出部である。６は映像のエッジ成分を検出するエッジ検出部であり、７はエッジ検出部の出力からエッジの深さを検出するエッジ深さ検出部である。
【００２７】
以上のように構成された映像表示装置について、図１と図２を用いてその動作を説明する。まず、映像信号は入力処理部１にて入力処理され、その出力はサブフィールド駆動データ生成部２、動き検出部５、エッジ検出部６に入力される。動き検出部５では入力された映像信号から映像の動き量が検出され、エッジ検出部６では映像信号から映像のエッジ成分が検出される。エッジ検出部６で検出された映像のエッジ成分は、エッジ深さ検出部７に入力されエッジの深さが検出される。動き検出部５で検出された映像の動き量と、エッジ深さ検出部７で検出されたエッジの深さはブランキング期間制御部４に入力される。ブランキング期間制御部４は、図２に示すように、動き量が大きく、エッジの深さが深い時ほどブランキング期間を長くするようサブフィールド駆動データ生成部２を制御するものである。
【００２８】
以上のように本実施の形態によれば、入力された映像信号の動き量、エッジの深さを検出しサブフィールド駆動データに変換する際にブランキング期間を可変させる手段を設けることにより、偽輪郭の発生しやすい動きの早い、深いエッジのある映像において、視覚にリセット作用を促すとともに、サブフィールドの構成を時間方向に圧縮することで偽輪郭の発生を抑制することができる。
【００２９】
（実施の形態２）
図３は本発明の実施の形態２における映像表示装置のブロック図である。図３において、１は映像信号入力処理を行う入力処理部、２は映像信号を各フィールド毎にサブフィールド駆動データに変換を行うサブフィールド駆動データ生成部である。３はサブフィールド駆動データ生成部の出力から映像として表示する表示部である。４はブランキング期間の長さを制御するブランキング期間制御部であり、５は映像の動きを検出する動き検出部である。６は映像のエッジ成分を検出するエッジ検出部であり、７はエッジ検出部の出力からエッジの深さを検出するエッジ深さ検出部である。以上は図１の構成と同様なものである。図１の構成と異なるのはＡＰＬ検出部８を、付け加えた点である。
【００３０】
以上のように構成された映像表示装置について、以下その動作を説明する。まず、映像信号は入力処理部１にて入力処理され、その出力はサブフィールド駆動データ生成部２、動き検出部５、エッジ検出部６、ＡＰＬ検出部８に入力される。動き検出部５では入力された映像信号から映像の動き量が検出され、ＡＰＬ検出部８では入力された映像信号のＡＰＬが検出され、エッジ検出部６では映像信号から映像のエッジ成分が検出される。エッジ検出部６で検出された映像のエッジ成分は、エッジ深さ検出部７に入力されエッジの深さが検出される。動き検出部５で検出された映像の動き量と、ＡＰＬ検出部８で検出されたＡＰＬと、エッジ深さ検出部７で検出されたエッジの深さはブランキング期間制御部４に入力される。ブランキング期間制御部４は、動き量が大きく、ＡＰＬが高く、エッジの深さが深い時ほどブランキング期間を長くするようサブフィールド駆動データ生成部２を制御するものである。
【００３１】
以上のように本実施の形態によれば、実施の形態１に対してさらにＡＰＬ検出部を設けることにより、偽輪郭の発生しやすいＡＰＬの高い映像においてより精度良く視覚にリセット作用を促すとともに、サブフィールドの構成を時間方向に圧縮することで偽輪郭の発生を抑制することができる。
【００３２】
（実施の形態３）
図４は本発明の実施の形態３における映像表示装置のブロック図である。図４において、１は映像信号入力処理を行う入力処理部、２は映像信号を各フィールド毎にサブフィールド駆動データに変換を行うサブフィールド駆動データ生成部である。３はサブフィールド駆動データ生成部の出力から映像として表示する表示部である。４はブランキング期間の長さを制御するブランキング期間制御部であり、５は映像の動きを検出する動き検出部である。６は映像のエッジ成分を検出するエッジ検出部であり、７はエッジ検出部の出力からエッジの深さを検出するエッジ深さ検出部である。８は入力された映像信号のＡＰＬを検出するＡＰＬ検出部である。以上は図３の構成と同様なものである。図３の構成と異なるのはブランキング期間制御部の出力を元に映像信号の振幅を制御する信号振幅制御部９を、付け加えた点である。
【００３３】
以上のように構成された映像表示装置について、以下その動作を説明する。まず、映像信号は入力処理部１にて入力処理され、その出力はサブフィールド駆動データ生成部２、動き検出部５、エッジ検出部６、ＡＰＬ検出部８に入力される。動き検出部５では入力された映像信号から映像の動き量が検出され、ＡＰＬ検出部８では入力された映像信号のＡＰＬが検出され、エッジ検出部６では映像信号から映像のエッジ成分が検出される。エッジ検出部６で検出された映像のエッジ成分は、エッジ深さ検出部７に入力されエッジの深さが検出される。動き検出部５で検出された映像の動き量と、ＡＰＬ検出部８で検出されたＡＰＬと、エッジ深さ検出部７で検出されたエッジの深さはブランキング期間制御部４に入力される。ブランキング期間制御部４は、動き量が大きく、ＡＰＬが高く、エッジの深さが深い時ほどブランキング期間を長くするようサブフィールド駆動データ生成部２を制御するものである。さらに信号振幅制御部９はブランキング期間を長くすると映像表示装置の輝度低下が発生するが、これを補正するようにブランキング期間が長くなればなるほど映像信号振幅を増大させるよう制御するものである。
【００３４】
以上のように本実施の形態によれば、実施の形態２に対してさらに信号振幅制御部を設けることにより、より精度良く輝度低下を発生させること無く、視覚にリセット作用を促すとともに、サブフィールドの構成を時間方向に圧縮することで偽輪郭の発生を抑制することができる。
【００３５】
なお、以上の説明では動き検出部５は全方向としたが、動き検出部５は水平方向のみ、垂直方向のみ、斜め方向のみやそのいずれか二つ以上の組み合わせとしても良い。またエッジ検出部６も同様に全方向としたが、エッジ検出部６も水平方向のみ、垂直方向のみ、斜め方向のみやそのいずれか二つ以上の組み合わせとしても良い。この場合は検出方向を限定することで、回路の簡素化を実施することができる。またＡＰＬ検出部８の入力は入力処理部１の出力としたが、エッジ検出部６の出力としても良い。この場合はエッジ部分のＡＰＬのみを検出することとなり、偽輪郭の発生しやすいエッジ部分のＡＰＬの高い映像においてより精度の良い制御を行うことが可能となる。また輝度低下の補正手段は信号振幅制御部９としたが、光源部の存在する映像表示装置の場合、ブランキング期間制御部の出力から光源の光出力量を制御する光出力制御部を有する構成としても良い。このことにより、さらに映像の階調性を変化させること無く、より精度良く輝度低下を発生させること無く、視覚にリセット作用を促すとともに、サブフィールドの構成を時間方向に圧縮することで偽輪郭の発生を抑制することができる。
【００３６】
【発明の効果】
以上のように本発明は、輝度低下を発生させること無く、偽輪郭の発生を抑制する映像表示装置を提供するという優れた効果が得られる。
【図面の簡単な説明】
【図１】本発明の実施の形態１における映像表示装置のブロック図
【図２】同実施の形態１における映像表示装置の動作説明のための原理図
（ａ）サブフィールド駆動データ生成部入力を示す図
（ｂ）サブフィールド駆動データ生成部出力を示す図
【図３】同実施の形態２における映像表示装置のブロック図
【図４】同実施の形態３における映像表示装置のブロック図
【図５】従来の映像表示装置のブロック図
【図６】従来の映像表示装置の動作説明のための原理図
（ａ）サブフィールド駆動データ生成部入力を示す図
（ｂ）サブフィールド駆動データ生成部出力を示す図
【符号の説明】
１　入力処理部
２　サブフィールド駆動データ生成部
３　表示部
４　ブランキング期間制御部
５　動き検出部
６　エッジ検出部
７　エッジ深さ検出部
８　ＡＰＬ検出部
９　信号振幅制御部
【図１】
2004093857.tif 000003
【図２】
2004093857.tif 000004
【図３】
2004093857.tif 000005
【図４】
2004093857.tif 000006
【図５】
2004093857.tif 000007
【図６】
2004093857.tif 000008